(57)【要約】【課題】自動販売機において、外扉と中扉とを連結した状態を維持する。【解決手段】可動係合部２２を軸に沿う上下方向に移動可能に構成し、かつ、可動係合部２２の自重によって当該可動係合部２２を固定係合部２１に向けて押圧する連結手段を備える。すなわち、外扉３が下方に下がったとき、可動係合部２２における係合ピン２２２が自重によって固定係合部２１における鉤部２１２Ａの係合溝２１２Ａａに嵌っているため、係合ピン２２２を固定した可動板２２１が段付ネジ２２１ｂおよび長孔２２１ａで案内されて自重によって上方に移動する。このため、固定係合部２１と可動係合部２２とが互いに係合したままとなって外扉３と中扉５とを連結した状態が維持される。【選択図】        図６
2006023929.tif 000002
【特許請求の範囲】
【請求項１】
外扉に対して所定の軸周りに開閉可能に一側端を支持された中扉と、閉成した中扉の他側端を前記外扉に連結する係合対をなす連結手段とを有した自動販売機において、
前記連結手段は、少なくとも係合対の一方を軸に沿う方向に移動可能にして係合対の他方に向けて押圧したことを特徴とする自動販売機。
【発明の詳細な説明】
【技術分野】
【０００１】
本発明は、外扉に対して中扉を連結する構成を有した自動販売機に関するものである。
【背景技術】
【０００２】
従来、自動販売機において外扉に設けた展示室などは、外扉の内側に軸支した中扉によって閉塞される。そして中扉は、閉成状態で外扉に連結してある。外扉に対して中扉を連結する構成としては、例えば外扉に固定したピン部材に対して内扉に回動可能に設けたフック部材を係合する構成がある。フック部材は、ピン部材に対して上側から回動してピン部材に係合する。
【発明の開示】
【発明が解決しようとする課題】
【０００３】
しかしながら、外扉は、自動販売機の本体キャビネットに対して片持ちで軸支してある。外扉は、堅牢に構成してあり上記展示室の他に貨幣識別装置などを装備して重量が嵩む。このため、外扉の開閉する端部は、自重で下方に下がる傾向にある。中扉は、外扉に対して支持してあって外扉とともに下方に下がる。また、外扉を本体キャビネットに対して閉成した状態では、中扉は、内扉の上端に係合して本体キャビネット側の商品投入口を閉塞する。つまり、外扉を本体キャビネットに対して閉成したとき、外扉とともに下方に下がった中扉は、内扉に係合して商品投入口を閉塞する正規の位置に戻るように持ち上げられる。すなわち、外扉だけが下方に下がることになる。この結果、外扉に対して中扉を連結する構成において、外扉に固定してあるピン部材が下方に下がるため、当該ピン部材がフック部材から離れて外れてしまう。
【０００４】
本発明は、上記実情に鑑みて、外扉と中扉とを連結した状態を維持することができる自動販売機を提供することを目的とする。
【課題を解決するための手段】
【０００５】
上記の目的を達成するために、本発明の請求項１に係る自動販売機は、外扉に対して所定の軸周りに開閉可能に一側端を支持された中扉と、閉成した中扉の他側端を前記外扉に連結する係合対をなす連結手段とを有した自動販売機において、前記連結手段は、少なくとも係合対の一方を軸に沿う方向に移動可能にして係合対の他方に向けて押圧したことを特徴とする。
【発明の効果】
【０００６】
本発明に係る自動販売機は、連結手段の少なくとも係合対の一方を軸に沿う方向に移動可能にして係合対の他方に向けて押圧してあるので、係合対の連結部分が軸に沿う方向に相対的に移動しても、係合対を係合したままにして外扉と中扉とを連結した状態を維持することができる。
【発明を実施するための最良の形態】
【０００７】
以下に添付図面を参照して、本発明に係る自動販売機の好適な実施例を詳細に説明する。なお、この実施例によりこの発明が限定されるものではない。
【実施例】
【０００８】
図１は本発明に係る自動販売機の外観を示す正面図、図２は図１に示した自動販売機の内部構造を示す斜視図である。
【０００９】
図１および図２に示すように、自動販売機１は、本体キャビネット２と、本体キャビネット２に対して上下に延在する軸Ｓ１の回りに開閉可能に設けた外扉３とを有している。外扉３の前面には、透明な電照板４が嵌め込んであり、この電照板４と、外扉３の内側面に設けた断熱性の中扉５とによって展示室６を画成している。中扉５は、外扉３の軸Ｓ１と平行に設けて上下に延在する軸Ｓ２の周りに開閉可能に外扉３に一側端５ａを支持して設けてある。展示室６には、自動販売機１が販売する商品の商品見本７が展示してあり、電照板４には、商品見本と対応するように関連づけた選択ボタン８が配設してある。このため、自動販売機１の利用者は、商品見本７を参照しながら商品の選択が可能となっている。
【００１０】
外扉３における展示室６の近傍には、ハンドル９、硬貨投入口１０、本発明に係る紙幣挿入口１１、金額表示器１２、返却レバー１３が配設してある。ハンドル９は、外扉３に内蔵したロック機構（図示せず）に連結してあり、閉塞した外扉３を本体キャビネット２に対して係止した状態を維持する一方、本体キャビネット２に係止した外扉３の係止状態を解除して外扉３を開放可能な状態に移行させるものである。硬貨投入口１０は、外扉３の内側面に配設したコインメカニズム１０Ａと連通し、硬貨を受け入れる部分である。硬貨投入口１０の下方には、コインメカニズム１０Ａから払い出した釣銭や返却硬貨を受容する返却口１０Ｂが配設してある。紙幣挿入口１１は、外扉３の内側面に配設したビルバリデータ（紙幣識別装置）１１Ａと連通し、紙幣を受け入れる部分である。ビルバリデータ１１Ａは、紙幣挿入口１１から挿入された紙幣を識別し、正規の紙幣と識別した場合に紙幣を内部に収容する一方、正規の紙幣でないと識別した場合に紙幣挿入口１１から自動販売機１の外部に返却するものである。金額表示器１２は、硬貨投入口１０からコインメカニズム１０Ａに受け入れた硬貨や、紙幣挿入口１１からビルバリデータ１１Ａに受け入れた紙幣の合計金額を表示するものである。なお、販売する商品の価格を超える貨幣が投入された場合には、選択ボタン８の押下が有効となる。返却レバー１３は、販売中止命令を入力する部分である。返却レバー１３によって販売中止命令が入力された場合、受け入れた貨幣および釣銭を返却する。
【００１１】
本体キャビネット２の内部には、商品収納庫１４が設けてある。商品収納庫１４は、飲料缶やペットボトルを所望の温度に維持した状態で収容するためのもので、上方部には、コラム状のラック１５が複数配設してある。各ラック１５は、上部の商品投入口１５ａから投入された商品を収納し、最下部の商品を１つずつ切り出して搬出する。各ラック１５の下側には、ラック１５から搬出された商品を商品収納庫１４の前方に搬出するシュータ１６が設けてある。この商品収納庫１４は、商品投入口１５ａが上記中扉５で開閉され、その下部が断熱性の内扉１７で開閉される。中扉５は、外扉３を閉成したときに商品投入口１５ａを閉塞し、閉成状態にある内扉１７の上端に係合して内扉１７と一体の断熱扉となる。
【００１２】
上述した自動販売機１において、中扉５は外扉３に対して閉成した状態で、開閉端となる他側端５ｂを連結手段２０によって外扉３に連結してある。以下、連結手段２０について説明する。
【００１３】
図３は連結手段を示す斜視図、図４は図３に示した連結手段を連結するときの動作を示す斜視図、図５は図３に示した連結手段の連結状態を示す斜視図、図６は図５で示した連結状態における連結手段の作用を示す斜視図である。
【００１４】
図３に示すように連結手段２０は、中扉５に設けた固定係合部２１と、外扉３に設けた可動係合部２２とにより係合対をなす。
【００１５】
固定係合部２１は、固定片２１１と、係合片２１２とからなる。固定片２１１は、中扉５の扉面に沿うように他側端５ｂに対して係止突起２１１ａで回り止めされてネジ２１３で固定してある。係合片２１２は、固定片２１１に対してほぼ直角に折曲されて中扉５を外扉３に閉塞する方向に向けて延在してある。係合片２１２には、上方に向けて開口する係合溝２１２Ａａを形成する鉤部２１２Ａが設けてある。係合片２１２の延在方向に向く鉤部２１２Ａの先端縁２１２Ａｂは、係合溝２１２Ａａの開口縁から漸次中扉５の閉塞方向に向けて斜め下方に傾斜して形成してある。
【００１６】
可動係合部２２は、外扉３の開放端面３ａに設けてある。可動係合部２２は、可動板２２１に係合ピン２２２を設けてなる。可動板２２１は、外扉３の開放端面３ａに沿うように取り付けてある。可動板２２１は、上下方向に延在する２つの長孔２２１ａを有し、この長孔２２１ａに対して外扉３の開放端面３ａに螺着した段付ネジ２２１ｂを挿通して取り付けてある。また、可動板２２１の下端には、外扉３の開放端面３ａから離れるように折曲延在した操作片２２１ｃが設けてある。係合ピン２２２は、可動板２２１に固定してあり、外扉３の開放端面３ａから離れる方向に延在して設けてある。
【００１７】
外扉３に対して中扉５を開放した開成状態では、図３に示すように可動係合部２２は、固定係合部２１と係合していない。この状態で可動板２２１は、段付ネジ２２１ｂおよび長孔２２１ａで案内されて自重によって下方に移動している。すなわち、可動板２２１に固定した係合ピン２２２は、可動板２２１とともに下方に移動している。
【００１８】
外扉３に対して中扉５を閉塞する際、図４に示すように可動係合部２２の可動板２２１は、段付ネジ２２１ｂおよび長孔２２１ａで案内されて自重によって上方に移動する。すなわち、可動板２２１に固定した係合ピン２２２は、可動板２２１とともに上方に移動する。外扉３に対して中扉５を閉塞する際の可動板２２１の上方への移動は、中扉５の閉塞に伴って鉤部２１２Ａの先端縁２１２Ａｂが係合ピン２２２に当接し、先端縁２１２Ａｂの傾斜によって係合ピン２２２が持ち上がることによる。あるいは、外扉３に対して中扉５を閉塞する際の可動板２２１の上方への移動は、操作片２２１ｃを意図的に持ち上げることによる。
【００１９】
外扉３に対して中扉５を閉塞した閉成状態では、図５に示すように、固定係合部２１における鉤部２１２Ａの係合溝２１２Ａａに、可動係合部２２における係合ピン２２２が嵌ることによって固定係合部２１と可動係合部２２とが互いに係合して、外扉３に対して中扉５を連結する。
【００２０】
ところで、上述したように外扉３は、自動販売機１の本体キャビネット２に対して片持ちで軸支してある。外扉３は、上述した様々な構成を装備して堅牢に構成してあるための重量が嵩み、その自重によって開放端面３ａ側が下方に下がる傾向にある。中扉５は、外扉３に対して支持してあるので外扉３とともに下方に下がる。また、外扉３を本体キャビネット２に対して閉成した状態では、中扉５は、内扉１７の上端に係合して商品投入口１５ａを閉塞する。つまり、外扉３を本体キャビネットに対して閉成したとき、外扉３とともに下方に下がった中扉５は、内扉１７に係合して商品投入口１５ａを閉塞する正規の位置に戻るように上方に持ち上げられる。すなわち、図６に示すように外扉３だけが下方に下がることになる。
【００２１】
図６に示すように連結手段は、上記のごとく外扉３が下方に下がったとき、可動係合部２２における係合ピン２２２が自重によって固定係合部２１における鉤部２１２Ａの係合溝２１２Ａａに嵌っているため、係合ピン２２２を固定した可動板２２１が段付ネジ２２１ｂおよび長孔２２１ａで案内されて自重によって上方に移動することになる。このため、固定係合部２１と可動係合部２２とが互いに係合したままとなって、外扉３と中扉５とを連結した状態が維持される。
【００２２】
このように、連結手段は、可動係合部２２を軸Ｓ１，Ｓ２に沿う上下方向に移動可能に構成し、かつ、可動係合部２２の自重によって当該可動係合部２２を固定係合部２１に向けて押圧する押圧力を生じさせている。この結果、外扉３の開放端が軸Ｓ１，Ｓ２に沿う方向に下がっても、固定係合部２１と可動係合部２２とを係合したままにして、外扉３と中扉５とを連結した状態を維持することができる。
【００２３】
なお、可動係合部２２を固定係合部２１に向けて押圧する押圧力はバネなどの弾性部材を用いて生じさせてもよい。
【図面の簡単な説明】
【００２４】
【図１】本発明に係る自動販売機の外観を示す正面図である。
【図２】図１に示した自動販売機の内部構造を示す斜視図である。
【図３】連結手段を示す斜視図である。
【図４】図３に示した連結手段を連結するときの動作を示す斜視図である。
【図５】図３に示した連結手段の連結状態を示す斜視図である。
【図６】図５で示した連結状態における連結手段の作用を示す斜視図である。
【符号の説明】
【００２５】
１    自動販売機
２    本体キャビネット
３    外扉
３ａ    開放端面
５    中扉
５ａ    一側端
５ｂ    他側端
６    展示室
７    商品見本
１４    商品収納庫
１５    ラック
１５ａ    商品投入口
１７    内扉
２０    連結手段
２１    固定係合部
２１１    固定片
２１１ａ    係止突起
２１２    係合片
２１２Ａ    鉤部
２１２Ａａ    係合溝
２１２Ａｂ    先端縁
２１３    ネジ
２２    可動係合部
２２１    可動板
２２１ａ    長孔
２２１ｂ    段付ネジ
２２１ｃ    操作片
２２２    係合ピン
【図１】
2006023929.tif 000003
【図２】
2006023929.tif 000004
【図３】
2006023929.tif 000005
【図４】
2006023929.tif 000006
【図５】
2006023929.tif 000007
【図６】
2006023929.tif 000008